(57)【要約】      （修正有）【課題】データ放送のコンテンツ送出運用と双方向サービス運用とをシームレスに行えるようにし、運用面での効率の向上を図ったデータ放送システムと双方向サービスシステムを提供する。【解決手段】データ放送−双方向連携装置端末８により指定されたコンテンツＩＤに対し、双方向サービスＩＤを発行する。双方向サービスＩＤに対し、サービス種別を割り付け、このコンテンツＩＤと、双方向サービスＩＤと、サービス種別とを対応付けてデータ放送双方向サーバシステムに登録する。さらに、データ放送送出システムから上記コンテンツＩＤに対応するオンエア情報を取得し、コンテンツＩＤ、双方向サービスＩＤ、サービス種別と共に、双方向利用情報管理データベースに格納する。格納された情報はデータ放送双方向サーバシステム２に送信され、データ放送双方向サーバシステム２は、送信された双方向サービス利用情報に基づいて双方向サービスを提供する。【選択図】図１
2008078919.tif 000002
【特許請求の範囲】
【請求項１】
データ放送コンテンツをコンテンツＩＤに対応付けて格納するコンテンツ管理装置と、  前記コンテンツ管理装置に管理されるデータ放送コンテンツをオンエア情報にしたがって送出するデータ放送送出装置と、
データ放送において複数種類の双方向サービスを提供するデータ放送双方向サーバ装置と、
前記データ放送送出装置と前記データ放送双方向サーバ装置とに接続される連携装置とを具備し、
前記連携装置は、
前記コンテンツ管理装置に格納されるコンテンツＩＤを取得して記憶する記憶手段と、
前記記憶されたコンテンツＩＤの中からコンテンツＩＤの指定を受け付け、この指定されたコンテンツＩＤに対応する双方向サービスＩＤを発行する発行手段と、
前記発行された双方向サービスＩＤに対し、サービス種別を割り付ける割付手段と、
前記データ放送送出装置から前記指定されたコンテンツＩＤに対応するオンエア情報を収集する収集手段と、
前記収集されたオンエア情報を前記指定されたコンテンツＩＤと、前記双方向サービスＩＤと、前記割り付けされたサービス種別と共に、双方向サービス利用情報として格納する格納手段と、
前記格納された双方向サービス利用情報を前記データ放送双方向サーバシステムに送信する送信手段と
を備え、
前記データ放送双方向サーバ装置は、前記送信された双方向サービス利用情報に基づいて、前記双方向サービスを提供することを特徴とするデータ放送システム。
【請求項２】
データ放送コンテンツをコンテンツＩＤに対応付けて格納するコンテンツ管理装置と、前記コンテンツ管理装置に管理されるデータ放送コンテンツをオンエア情報にしたがって送出するデータ放送送出装置と、データ放送において複数種類の双方向サービスを提供するデータ放送双方向サーバ装置と、前記データ放送送出装置と前記データ放送双方向サーバ装置とに接続される前記連携装置とを具備するデータ放送システムに用いられるデータ放送双方向サービス連携方法であって、
前記連携装置は、
前記コンテンツ管理装置に格納されるコンテンツＩＤを取得して記憶し、
前記記憶されたコンテンツＩＤの中からコンテンツＩＤの指定を受け付け、この指定されたコンテンツＩＤに対応する双方向サービスＩＤを発行し、
前記発行された双方向サービスＩＤに対し、サービス種別を割り付け、
前記データ放送送出装置から前記指定されたコンテンツＩＤに対応するオンエア情報を収集し、
前記収集されたオンエア情報を前記指定されたコンテンツＩＤと、前記双方向サービスＩＤと、前記割り付けされたサービス種別と共に、双方向サービス利用情報として格納し、
前記格納された双方向サービス利用情報を前記データ放送双方向サーバシステムに送信し、
前記データ放送双方向サーバ装置は、前記送信された双方向サービス利用情報に基づいて、前記双方向サービスを提供することを特徴とするデータ放送双方向サービス連携方法。
【発明の詳細な説明】
【技術分野】
【０００１】
この発明は、地上波ディジタル放送システムなどに適用されるデータ放送システムに関する。特にこの発明は、データ放送サービスにおける双方向サービスを行うデータ放送コンテンツ管理装置、データ放送双方向サーバシステム装置、およびデータ放送送出装置を備えるデータ放送システム及びデータ放送双方向サービス連携方法に関する。
【背景技術】
【０００２】
周知のようにデータ放送システムにおいては、データ放送番組ごとにコンテンツＩＤが発番される。各番組は、放送開始、終了時刻その他の送出条件をこのコンテンツＩＤに対応付けて放送進行表に指定することにより放送される。関連する技術が下記特許文献１〜３に開示される。
【０００３】
ところで、データ放送コンテンツにおいて双方向サービスを実施するには、コンテンツＩＤとは別に双方向サービスＩＤを発番し、当双方向サービスＩＤにトランザクションの種別に対応する双方向サービス種別を割り当ててデータ放送コンテンツに記述する必要がある。しかしながら既存の技術では双方向サービスＩＤ、双方向サービス種別、および放送進行情報とコンテンツＩＤとを統合的に管理することができない。このためデータ放送のコンテンツ送出運用と双方向サービス運用とをシームレスに行うことができず、運用面での効率が低下するという問題がある。
【特許文献１】特開２００２−３４４４００号公報
【特許文献２】特開２００２−３４４４０７号公報
【特許文献３】特開平１０−１３８０７号公報
【発明の開示】
【発明が解決しようとする課題】
【０００４】
以上述べたように既存の技術には、双方向サービスＩＤ、双方向サービス種別、および放送進行情報とコンテンツＩＤとを統合的に管理することができず、データ放送のコンテンツ送出運用と双方向サービス運用とをシームレスに行うことができない。このため運用面での効率が低下するという問題があり、何らかの解決策の提供が待たれている。
【０００５】
この発明は上記事情によりなされたもので、その目的は、データ放送のコンテンツ送出運用と双方向サービス運用とをシームレスに行えるようにし、これにより運用面での効率の向上を図ったデータ放送システム及びデータ放送双方向サービス連携方法を提供することにある。
【課題を解決するための手段】
【０００６】
上記目的を達成するためにこの発明の一態様によれば、データ放送コンテンツをコンテンツＩＤに対応付けて格納するコンテンツ管理装置と、前記コンテンツ管理装置に管理されるデータ放送コンテンツをオンエア情報にしたがって送出するデータ放送送出装置と、データ放送において複数種類の双方向サービスを提供するデータ放送双方向サーバ装置と、前記データ放送送出装置と前記データ放送双方向サーバ装置とに接続される連携装置とを具備し、前記連携装置は、前記コンテンツ管理装置に格納されるコンテンツＩＤを取得して記憶する記憶手段と、前記記憶されたコンテンツＩＤの中からコンテンツＩＤの指定を受け付け、この指定されたコンテンツＩＤに対応する双方向サービスＩＤを発行する発行手段と、前記発行された双方向サービスＩＤに対し、サービス種別を割り付ける割付手段と、前記データ放送送出装置から前記指定されたコンテンツＩＤに対応するオンエア情報を収集する収集手段と、前記収集されたオンエア情報を前記指定されたコンテンツＩＤと、前記双方向サービスＩＤと、前記割り付けされたサービス種別と共に、双方向サービス利用情報として格納する格納手段と、前記格納された双方向サービス利用情報を前記データ放送双方向サーバシステムに送信する送信手段とを備え、前記データ放送双方向サーバ装置は、前記送信された双方向サービス利用情報に基づいて、前記双方向サービスを提供することを特徴とする。
【０００７】
また、この発明のデータ放送システムに用いられるデータ放送双方向サービス連携方法は、データ放送コンテンツをコンテンツＩＤに対応付けて格納するコンテンツ管理装置と、前記コンテンツ管理装置に管理されるデータ放送コンテンツをオンエア情報にしたがって送出するデータ放送送出装置と、データ放送において複数種類の双方向サービスを提供するデータ放送双方向サーバ装置と、前記データ放送送出装置と前記データ放送双方向サーバ装置とに接続される前記連携装置とを具備するデータ放送システムに用いられるデータ放送双方向サービス連携方法であって、前記連携装置は、前記コンテンツ管理装置に格納されるコンテンツＩＤを取得して記憶し、前記記憶されたコンテンツＩＤの中からコンテンツＩＤの指定を受け付け、この指定されたコンテンツＩＤに対応する双方向サービスＩＤを発行し、前記発行された双方向サービスＩＤに対し、サービス種別を割り付け、前記データ放送送出装置から前記指定されたコンテンツＩＤに対応するオンエア情報を収集し、前記収集されたオンエア情報を前記指定されたコンテンツＩＤと、前記双方向サービスＩＤと、前記割り付けされたサービス種別と共に、双方向サービス利用情報として格納し、前記格納された双方向サービス利用情報を前記データ放送双方向サーバシステムに送信し、前記データ放送双方向サーバ装置は、前記送信された双方向サービス利用情報に基づいて、前記双方向サービスを提供することを特徴とする。
【０００８】
このような手段を講じることにより、データ放送のオンエアに連携して、双方向サービスが提供できるようになる。従って、データ放送における双方向サービス運用にあたり、データ放送コンテンツのコンテンツＩＤと双方向サービスＩＤ、放送進行情報等の情報を効率的に結びつけ統合的に管理することができるようになる。これによりデータ放送システムの運行効率を向上させることができるようになる。
【発明の効果】
【０００９】
この発明によれば、データ放送のコンテンツ送出運用と双方向サービス運用とをシームレスに行えるようになり、これにより運用面での効率の向上を図ったデータ放送システム及びデータ放送双方向サービス連携方法を提供することができる。
【発明を実施するための最良の形態】
【００１０】
図１は、この発明に係わるデータ放送システムの実施の形態を示すシステム図である。図１のシステムは、データ放送−双方向連携装置１と、データ放送双方向サーバシステム２と、放送情報管理システム３と、データ放送コンテンツ管理システム４と、データ放送コンテンツ制作システム５と、データ放送送出システム６と、多重化装置７と、データ放送−双方向連携装置端末８とを備える。
【００１１】
データ放送−双方向連携装置１は、データ放送と、データ放送双方向サーバシステム２により行われる双方向サービスとを連携させる。データ放送双方向サーバシステム２は、データ放送において各種の双方向サービスを提供する。このサービスには、例えば、個人認証、アンケート、資料請求、および物販があり、それぞれ業務処理アプリケーションとして実装される。データ放送−双方向連携装置端末８は、データ放送−双方向連携装置１に接続され、データ放送−双方向連携装置１に対する各種データの設定や、システム運用者のリクエストの入力などを行うために用いられる。
【００１２】
放送情報管理システム３は、データ放送コンテンツを管理するためのコンテンツＩＤを発番する。データ放送コンテンツ管理システム４は、データ放送コンテンツ制作システム５により制作され、蓄積されている各データ放送コンテンツに対し、上記放送情報管理システム３により発番されるコンテンツＩＤを割り付けて管理する。
【００１３】
データ放送送出システム６は、予め登録されている放送進行表に基づいてデータ放送コンテンツを送出する。送出されたデータ放送コンテンツは、多重化装置７により映像データ、音声データとともに多重されて放送信号として送出される。
【００１４】
図２は、図１のデータ放送−双方向連携装置１の実施の形態を示す機能ブロック図である。このデータ放送−双方向連携装置１は、インタフェース部（Ｉ／Ｆ）１０と、表示部２０と、入出力部３０と、記憶部４０と、制御部５０とを備える。インタフェース部１０は、データ放送−双方向連携装置端末８、および外部通信網（図示せず）に接続され、各種データの授受のインタフェースをとる。表示部２０および入出力部３０は、種々の情報をシステム運用者に通知するためのユーザインタフェース機能を担う。
【００１５】
記憶部４０は、双方向利用情報管理データベース４ａを記憶する。制御部５０は、この発明に係る処理機能として発番処理部５ａと、割り付け処理部５ｂと、登録処理部５ｃと、格納処理部５ｄと、収集処理部５ｅとを備える。
【００１６】
発番処理部５ａは、データ放送コンテンツのコンテンツＩＤに対応した双方向サービスＩＤを発番する。割り付け処理部５ｂは、発番処理部５ａにより発番された双方向サービスＩＤにデータ放送双方向サーバシステムで提供される各種双方向サービスを割り付ける。登録処理部５ｃは、発番した双方向サービスＩＤとコンテンツＩＤならびに割り付け処理部５ｂで割り付けた双方向サービス種別を双方向サーバに登録する。
【００１７】
収集処理部５ｄは、データ放送送出システム６からオンエア情報を収集して双方向サーバに取得する。格納処理部５ｅは、コンテンツＩＤ、発番処理部５ａで発番した双方向サービスＩＤ、双方向サービス種別とともに上記収集処理部５ｄにより取得したオンエア情報を双方向利用情報管理データベース４ａに格納する。
【００１８】
次に、上記構成におけるデータ放送システムの動作について説明する。  
図３は、図１のデータ放送−双方向連携装置１における処理手順を示す模式図である。
【００１９】
先ず、データ放送−双方向連携装置１は、インタフェース部１０によりデータ放送コンテンツ管理システム４からコンテンツＩＤを取得し（ステップＳ３ａ）、双方向利用情報管理データベース４ａに登録する（ステップＳ３ｂ）。
【００２０】
システム運用者は、データ放送−双方向連携装置端末８からデータ放送−双方向連携装置１にアクセスして上記双方向利用情報管理データベース４ａに登録されているコンテンツＩＤを参照し、双方向サービスを実施するコンテンツである場合には、双方向サービス利用申請を行う。データ放送−双方向連携装置１は、データ放送−双方向連携装置端末８から双方向サービス利用申請を受け付けると、制御部５０は、発番処理部５ａにより当該コンテンツＩＤに対してユニークな双方向サービスＩＤを発番し（ステップＳ３ｃ）、この発番された双方向サービスＩＤを双方向利用情報管理データベース４ａに登録する（ステップＳ３ｄ）。
【００２１】
さらに、システム運用者は、データ放送−双方向連携装置端末８においてコンテンツＩＤと双方向サービスＩＤとを参照し、当該双方向サービスＩＤにサービス種別を指定する。この指定を受けて、制御部５０は、割り付け処理部５ｂにより、双方向サービスＩＤにデータ放送双方向サーバシステム２で提供される各種双方向サービスを割り付ける。そして、登録処理部５ｃは、双方向サービスＩＤとコンテンツＩＤならびに上記割り付けた双方向サービス種別をデータ放送双方向サーバシステム２に登録する（ステップＳ３ｅ）。
【００２２】
サービス種別の指定処理が完了すると、制御部５０は、収集処理部５ｄによりコンテンツＩＤをキーにして、データ放送送出システム６に登録されている放送進行表から、当該コンテンツのオンエア情報（放送日、放送開始時刻、放送終了時刻など）を取得する（ステップＳ３ｆ）。制御部５０は格納処理部５ｅにより、コンテンツＩＤ、双方向サービスＩＤ、双方向サービス種別とともに上記取得したオンエア情報を双方向サービス利用情報として、双方向利用情報管理データベース４ａに格納する（ステップＳ３ｇ）。
【００２３】
データ放送−双方向連携装置１は、双方向利用情報管理データベース４ａに格納された双方向サービス利用情報を取得し（ステップＳ３ｈ）、データ放送双方向サーバシステム２に送信する（ステップＳ３ｉ）。データ放送双方向サーバシステム２は上記送信された双方向サービス利用情報に基づいて双方向サービスの管理し、データ放送のオンエアに連携して双方向サービスを実行する。
【００２４】
以上説明したようにこの実施形態では、データ放送−双方向連携装置端末８により指定されたコンテンツＩＤに対し、双方向サービスＩＤを発行する。発行された双方向サービスＩＤに対し、サービス種別を割り付け、このコンテンツＩＤと、双方向サービスＩＤと、サービス種別とを対応付けてデータ放送双方向サーバシステム２に登録する。さらに、データ放送送出システム４から上記コンテンツＩＤに対応するオンエア情報を取得し、コンテンツＩＤ、双方向サービスＩＤ、サービス種別と共に、双方向利用情報管理データベース４ａに格納する。格納された情報はデータ放送双方向サーバシステム２に送信され、データ放送双方向サーバシステム２は、送信された双方向サービス利用情報に基づいて双方向サービスを提供する。
【００２５】
本発明により、コンテンツＩＤと双方向サービスＩＤ、双方向サービス種別ならびにオンエア情報を統合的に管理することが可能となり、データ放送のコンテンツ送出運用と双方向サービス運用をシームレスに実施することが可能となり、運用面効率を改善することができる。
【００２６】
なお、この発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００２７】
【図１】この発明に係わるデータ放送システムの実施の形態を示すシステム図。
【図２】図１のデータ放送−双方向連携装置１の実施の形態を示す機能ブロック図。
【図３】図１のデータ放送−双方向連携装置１における処理手順を示す模式図。
【符号の説明】
【００２８】
１…データ放送−双方向連携装置、２…データ放送双方向サーバシステム、３…放送情報管理システム、４…データ放送コンテンツ管理システム、５…データ放送コンテンツ制作システム、６…データ放送送出システム、７…多重化装置、８…データ放送−双方向連携装置端末、１０…インタフェース部（Ｉ／Ｆ）、２０…表示部、３０…入出力部、４０…記憶部、５０…制御部、４ａ…双方向利用情報管理データベース、５ａ…発番処理部、５ｂ…割り付け処理部、５ｃ…登録処理部、５ｄ…収集処理部、５ｅ…格納処理部
【図１】
2008078919.tif 000003
【図２】
2008078919.tif 000004
【図３】
2008078919.tif 000005